(57)【要約】【課題】簡単、確実かつ強固な方法で画面を垂直方向に関して異なる角度に向けることができるように表示デバイスを傾斜させることが可能である表示装置を提供する。【解決手段】  表示デバイスをスタンド上に取り付けることができる。スタンドは、ユーザにとって表示画面が見易い角度で表示デバイスの表示画面を提示することができる。表示画面の望ましい傾斜角度は、表示画面がどこに位置決めされるか、また、表示画面がどこから見られるかに応じて変えることができる。本発明は、表示デバイスの傾斜角度を少なくとも２つの異なる角度間で変更することができるスタンドを提供する。表示デバイスは、どの傾斜角度でもスタンドにしっかりと固定される。【選択図】図３
2011170356.tif 000002
【特許請求の範囲】
【請求項１】
平坦な表示画面を有する表示デバイスと、
前記表示デバイスを支持する支持スタンドとを具備し、
前記支持スタンドは、
所定面に載置可能な基部と、
前記表示デバイスの固定位置への取り付けを可能にする少なくとも２つの取付部を有し、前記基部から突出する少なくとも１本の支柱とを有し、
前記取付部は、前記表示画面に対する垂線と、前記所定面に対する垂線との間の角度が、前記表示デバイスがそれぞれの前記取付部に取り付けられるときに異なるように構成されており、
前記取付部は、前記支柱の周囲に異なる向きで設けられる
表示装置。
【請求項２】
請求項１に記載の表示装置であって、
前記支柱は、複数の異なる向きで前記基部に装着可能である
表示装置。
【請求項３】
請求項２に記載の表示装置であって、
前記支柱が前記基部に装着可能である各向きにおいて、前記支柱は、前記表示画面が常に前記基部に関して同じ所定の方向に面するように前記表示デバイスを取り付ける対応の取付部を有する
表示装置。
【請求項４】
請求項３に記載の表示装置であって、
前記基部は、前記所定の方向の反対方向よりも前記所定の方向に長く形成される
表示装置。
【請求項５】
請求項１〜４のいずれか１項に記載の表示装置であって、
前記基部は、前記基部から延びる前記支柱の本数に等しい数の、少なくとも１つの孔を有しており、
前記支柱は、２つ以上の異なる向きで前記孔に挿入されることによって、前記基部に関して２つ以上の異なる向きで前記基部に装着可能である
表示装置。
【請求項６】
請求項５に記載の表示装置であって、
前記支柱は、前記支柱が前記孔に挿入されるときに、その対応の孔と協働する部分を有しており、
前記孔または各孔の形状は、協働する対応の支柱の前記部分の形状に対応する
表示装置。
【請求項７】
請求項５に記載の表示装置であって、
前記支柱および前記孔は、前記支柱が各向きで対応の孔内の位置に固定されることを可能にする固定具を有する
表示装置。
【請求項８】
請求項１〜４のいずれか１項に記載の表示装置であって、
前記基部は、突出する前記支柱の本数に等しい少なくとも１つの支柱プラットフォームを有しており、
前記支柱または各支柱は、２つ以上の向きで前記支柱プラットフォームのうちの１つに装着されることによって、前記基部に関して２つ以上の向きで前記基部に装着可能である
表示装置。
【請求項９】
請求項１〜８のいずれか１項に記載の表示装置であって、
前記少なくとも２つの取付部はそれぞれ、前記基部が載置される前記所定面に関して異なる角度で傾斜している平坦面を有しており、
前記表示デバイスは、対応の支柱の取付部の平坦面に当接する、少なくとも１つの対応の平坦面を有する
表示装置。
【請求項１０】
請求項９に記載の表示装置であって、
前記取付部はそれぞれ、前記表示デバイスと、前記取付部との対応する前記平坦面を共に保持する保持機構を具備する
表示装置。
【請求項１１】
請求項１〜１０のいずれか１項に記載の表示装置であって、
前記支柱は、２つの取付部を具備する
表示装置。
【請求項１２】
請求項１１に記載の表示装置であって、
前記支柱の前記取付部は、前記支柱の両側に設けられる
表示装置。
【請求項１３】
請求項１１または請求項１２に記載の表示装置であって、
各支柱には、各支柱の両側に前記取付部の一部をなす開口を形成する少なくとも１つの孔が形成される
表示装置。
【請求項１４】
請求項１〜１３のいずれか１項に記載の表示装置であって、
前記表示デバイスは、取り外し可能に前記取付部に取り付けられる
表示装置。
【請求項１５】
平坦な表示画面を有する表示デバイスを支持する支持スタンドであって、
所定面に載置可能な基部と、
前記表示デバイスの固定位置への取り付けを可能にする少なくとも２つの取付部を有し、前記基部から突出する少なくとも１本の支柱とを具備し、
前記取付部は、前記表示画面に対する垂線と、前記所定面に対する垂線との間の前記角度が、前記表示デバイスがそれぞれの前記取付部に取り付けられるときに異なるように構成されており、
前記取付部は、前記支柱の周囲に異なる向きで設けられる
支持スタンド。
【発明の詳細な説明】
【技術分野】
【０００１】
本発明は、表示装置に関し、特に、表示画面を有する表示デバイス用のスタンドに関する。本発明はまた、表示デバイスとスタンドとを有する表示装置に関する。
【背景技術】
【０００２】
従来から、テレビ等の表示デバイスはスタンド上に取り付けられる。これによって、例えば、ディスプレイ画面がユーザに的確な高さで提示されることが可能になっている。スタンドによっては、水平軸を中心として画面を回転させる可動ジョイントが備えられており、ジョイントを動かすことで、画面の傾斜角度を連続的に調整することができる。
【０００３】
表示デバイスが取り付けられ得る全てのスタンドは強固で安定していることが有利である。
【先行技術文献】
【特許文献】
【０００４】
【特許文献１】米国特許出願公開第２００９／１２１０９７号明細書
【特許文献２】独国実用新案第２０２００５０１３３１２号明細書
【特許文献３】中国実用新案公告第２０１２６９９５６号明細書
【特許文献４】スイス連邦無審査特許第６５３４６４号明細書
【特許文献５】中国実用新案公告第２０１１８５７４７号明細書
【発明の概要】
【発明が解決しようとする課題】
【０００５】
本発明は、表示デバイス用の従来のスタンドでは、簡単、確実かつ強固な方法で画面を垂直方向に関して異なる角度に向けることができるように表示デバイスを傾斜させることは不可能であるという認識に基づくものである。
【課題を解決するための手段】
【０００６】
本発明の実施形態によると、
平坦な表示画面を有する表示デバイスと、
上記表示デバイスを支持する支持スタンドとを具備する表示装置が提供される。
上記支持スタンドは、
所定面に載置可能な基部と、
上記表示デバイスの固定位置への取り付けを可能にする少なくとも２つの取付部を有し、上記基部から突出する少なくとも１本の支柱とを有し、
上記各取付部は、上記表示画面に対する垂線と、上記所定面に対する垂線との間の角度が、上記表示デバイスがそれぞれの上記取付部に取り付けられるときに異なるように構成されており、
上記各取付部は、上記支柱の周囲に異なる向きで設けられる。
【０００７】
本発明の実施形態によると、平坦な表示画面を有する表示デバイスを支持する支持スタンドが提供される。
上記支持スタンドは、
所定面に載置可能な基部と、
上記表示デバイスの固定位置への取り付けを可能にする少なくとも２つの取付部を有し、上記基部から突出する少なくとも１本の支柱とを具備する。
上記取付部は、上記表示画面に対する垂線と、上記所定面に対する垂線との間の上記角度が、上記表示デバイスがそれぞれの上記取付部に取り付けられるときに異なるように構成されており、
上記取付部は、上記支柱の周囲に異なる向きで設けられる。
【０００８】
係る支持スタンド、または係る支持スタンドを備える表示装置は、表示デバイスの取り付け先となる取付部を変更することで、平坦な表示画面の角度を傾けることを可能にする。本明細書においては、表示画面に対する垂線と、基部が載置される所定面に対する垂線との間の角度を、傾斜角度と称する。表示デバイスの取り付け先となる取付部を変更することで、表示デバイスは、基部が載る所定面に対して実質的に平行な軸を中心として、或る位置から別の位置に回転することができる。この所定面は、当該回転の基準となる基準面を画定するものと言える。
【０００９】
したがって、例えば、表示画面の傾斜角度は、エンターテインメントシステム（テレビ等）が配置される表面の高さに応じて適合、すなわち、調整することができる。付加的にまたは代替的に、表示画面の傾斜角度は、ユーザが表示画面を見る高さに応じて適合することができる。さらに、傾斜角度は、表示デバイスの取り付け先となる取付部を変更することで容易に調整することができる。これは、簡単な動作である。さらに、別個の、特殊設計された取付部を傾斜角度毎に上記支柱に設けることができるため、表示デバイスは、各異なる傾斜角度で支持スタンドにしっかりとかつ強固に取り付けることができる。それゆえ、利用可能な各傾斜角度を専用の取付部によって固定することができるため、複雑で、潜在的に壊れやすく重い可動ジョイントを設ける必要をなくすことができる。このようにして、表示デバイス、したがって、表示画面を、個々の傾斜角度間で動かすことができる。
【００１０】
取付部は、上記支柱の周囲に異なる向きで設けることができる。これは、取付部が上記支柱の周囲に異なる角度で設けられることを意味する。例えば、上記支柱が長手方向軸を有し、取付部を、当該長手方向軸の周囲に異なる角度位置に設けてもよい。
【００１１】
取付部を上記支柱の周囲に異なる向きで設けることで、取付部が互いに離間することが可能になり、これによって、各取付部によって、専用の安定した表示デバイス用取付具が提供される。
【００１２】
上記支柱は、複数の異なる向きで上記基部に装着可能であってもよい。これは、上記支柱は、基部が載置される所定面に対する垂線である軸を中心とした２つ以上の（例えば、少なくとも２つの）角度位置において基部に装着可能であることを意味する。係る軸は、上記支柱を通っていてもよく、したがって、支柱の長手方向軸と称される。
【００１３】
上記支柱を基部に関して複数の異なる向きに装着可能に設けることによって、取付部のそれぞれを、基部に関して複数の異なる位置に方向付けることができる。さらには、これによって、装着先となる取付部を変更することなく、表示デバイスを基部に関して異なる角度位置に取り付けることが可能になる。
【００１４】
上記支柱が上記基部に装着可能である各向きにおいて、上記支柱は、上記表示画面が常に上記基部に関して同じ所定の方向に面するように上記表示デバイスを取り付けるための対応の取付部を有してもよい。
【００１５】
これは、例えば、取付部が設けられる向き毎に、上記支柱が、対応の向き位置において基部に対して装着可能であることを意味し得る。それゆえ、基部が載置される所定面に延びる、表示画面に対する垂線成分が常に基部に関して同じ方向に面する（または常に面することができる）。このようにして、表示画面の主要な向き（例えば、垂直軸を中心とした角度）を調整することなく、表示画面の傾斜角度を調整することができる。したがって、表示画面は、部屋に関して（例えば、垂直軸を中心とした）同じ向きに面しながらも、異なる傾斜角度に面することができる。
【００１６】
上記基部は、上記所定の方向の反対方向よりも上記所定の方向に長く形成されてもよい。
【００１７】
これによって、組立後の、表示デバイスと支持スタンドとを有する表示装置を、例えば、表示デバイスの自重等によって落下しにくい、安定したものとすることができる。この安定性は、表示デバイスがいずれの取付部に取り付けられるかといったことには左右されない。
【００１８】
上記基部は、上記基部から延びる上記支柱の本数に等しい数の、少なくとも１つの孔を有してもよく、
上記支柱は、２つ以上の異なる向きで上記孔に挿入されることによって、上記基部に関して２つ以上の異なる向きで上記基部に装着可能であってもよい。
【００１９】
係る構成によると、支持スタンドはモジュール式とすることができる。モジュール式の支持スタンドを設けることには、簡単かつ確実に支持スタンドを組み立て、分解し、（例えば、異なる構成に）組み立て直すことができるという利点がある。それゆえ、ユーザが表示画面の傾斜角度を変更することが容易になる。付加的にまたは代替的に、係る構成によって、ユーザが、基部に関して所定の向きの上記支柱を、孔の形状に応じて簡単な方法で配置することが可能になる。
【００２０】
上記支柱は、上記支柱が上記孔に挿入されるときに、その対応の孔と協働する部分を有してもよく、
上記孔の形状は、協働する対応の支柱の上記部分の形状に対応してもよい。
【００２１】
このようにして、上記支柱は、その対応する孔に配置され得る。これによって、例えば、上記支柱がその対応する孔に挿入され得る向き（複数可）を確定することで、ユーザによる支持スタンドの組み立てを簡略化することができる。孔の形状（および支柱の部分の対応の形状）に応じて、上記支柱を、２つ以上の向きにおいて、その対応する孔に挿入することが可能になり得る。例えば、孔が矩形の場合、上記支柱または各支柱は、少なくとも２つの異なる（１８０度離れた）向きに挿入することができる。孔が正方形の場合、上記支柱または各支柱は、４つの異なる（９０度ずつ離れた）向きに挿入することができる。孔が正三角形の場合、上記支柱または各支柱は、３つの異なる（１２０度ずつ離れた）向きに挿入することができる。
【００２２】
上記支柱および上記孔は、上記支柱が各向きで対応の孔内の位置に固定されることを可能にする固定具を有してもよい。係る固定具は、基部の所定位置に装着されると、上記支柱がその位置から誤って落下することを防止することができる。これによって、支持スタンドを確実に、安定かつ／または扱い易いものとすることができる。なお、上記固定具は、ユーザが必要時に、例えば、上記支柱の、基部に関する向きを変更するのに、支持スタンドを分解したり、組み立て直したりするのを依然として可能にする。固定具の一部は、基部の一部として設けてもよい。代替的にまたは付加的に、固定具の一部は、上記支柱として設けてもよい。これらには任意の好適な固定具が用いられ得る。非限定的な例として、任意の１つまたは複数の螺子およびねじ山、ナットおよびボルト、ならびにクリップを用いてもよい。
【００２３】
上記少なくとも２つの取付部はそれぞれ、上記基部が載置される上記所定面に関して異なる角度で傾斜している平坦面を有してもよく、
上記表示デバイスは、対応の支柱の取付部の平坦面に当接する、少なくとも１つの対応の平坦面を有してもよい。
【００２４】
この構成によると、表示デバイスは、協働または当接する、取付部に対する平坦面を少なくとも部分的に用いて取り付けられる。これによって、表示画面の所望の傾斜角度が取付部毎に正確に達成されることを保証することができる。これによって、いずれの取付部に対して表示デバイスが取り付けられるかに応じて異なる傾斜角度に表示画面を向ける、簡単で強固な構成を提供することができる。
【００２５】
上記取付部はそれぞれ、上記表示デバイスと、上記取付部との対応する上記平坦面を共に保持する保持機構を具備してもよい。任意の好適な保持機構が用いられ得る。非限定的な例として、任意の１つまたは複数の螺子およびねじ山、ナットおよびボルト、ならびにクリップを用いてもよい。
【００２６】
平坦面を共に保持する機構を設けることで、表示デバイスが特定の取付部に取り付けられると、表示画面の所望の傾斜角度が正確に達成されることが保証される。
【００２７】
上記支柱は、２つの取付部を具備してもよい。これによって、表示画面の２つの異なる傾斜角度が達成される。
【００２８】
上記支柱または各支柱の上記取付部は、上記支柱または各支柱の両側に設けられてもよい。これによって、取付部を最長距離に離間することが可能となり、使用が容易になるとともに特に安定した構成がもたらされる。これによって、簡単な取付部を用いることも可能になり得る。例えば、これによって、１つの取付部の一部または複数の部分を別の取付部が共有することが可能になり得る。
【００２９】
各支柱には、各支柱の両側に上記取付部の一部をなす開口を形成する少なくとも１つの孔が形成されてもよい。これによって、特に簡単かつ効果的な取付部を提供することができる。例えば、取付部の一部または全て（例えば、孔および／または関係付けられた締結具）を、別の取付部が共有することができる。これによって、使用をさらに簡略化し、かつ／または費用を削減し、かつ／または信頼性を向上させることができる。
【００３０】
上記表示デバイスは、取り外し可能に上記取付部に取り付けられてもよい。この特長によって、ユーザが、組立後に表示画面の傾斜角度を、例えば、２回以上変更することが可能になる。これは、例えば、表示装置を、或る表面から、例えば、異なる高さにある別の表面に移動させる場合に有利であり得る。
【００３１】
本発明は、添付の図面を参照しながら、例示のみを目的とした以下の記載からより明確に理解されるであろう。
【図面の簡単な説明】
【００３２】
【図１】第１の位置にある、支持スタンド上に取り付けられた表示デバイスの側面図である。
【図２】第１の位置にある、支持スタンド上に取り付けられた表示デバイスの側面図である。
【図３】本発明の一実施形態による表示デバイス用支持スタンドの斜視図である。
【図４】本発明による支持スタンドの側面図である。
【図５】支柱の向きが変更されている支持スタンド（請求項４に対応）の側面図である。
【図６】支柱のうちの１本が取り外されている最中の、本発明による支持スタンドの斜視図である。
【図７】支柱が基部に異なる向きで再装着されている最中の、図６の支持スタンドを示す図である。
【図８】基部から支柱が１本だけ突出している、本発明の一実施形態による表示デバイス用支持スタンドの斜視図である。
【図９】支柱が基部の支柱プラットフォームに挿入される、支持スタンド用の基部を示す図である。
【発明を実施するための形態】
【００３３】
図１は、本発明の一実施形態による表示装置１０を示す。表示装置１０は、表示デバイス２０を備える。表示デバイス２０は、平坦な表示画面２５を有する。表示画面２５の平坦面は、図１の平面に対して垂直方向に延びる。
【００３４】
図１に示す表示装置１０はまた、支持スタンド３０を備える。支持スタンド３０は、表示デバイス２０が取り付けられる取付部４０（図３に示す）を有する。取付部４０は、支持スタンド３０の基部６０から突出する１つまたは複数の支柱５０（図３に示す）の一部であるか、または当該支柱５０に装着される。基部６０は、表示装置１０が配置される表面に載置される。この表示装置１０が配置される表面を、基準面と称する。
【００３５】
図２は、図１の表示装置１０において、表示デバイス２０が、基部６０に関して（または、基部６０が載置される面に関して）異なる傾斜角度に取り付けられている状態を示す。換言すると、表示画面２５に対する垂線と、表示装置１０が配置される面に対する垂線とがなす角度が、図１〜図２間で異なる。これは、図１および図２においてそれぞれの面の垂線を表す矢印２６および７０間の角度差によって示されている。
【００３６】
図３は、本発明の一実施形態による支持スタンド３０の基部６０および支柱５０をさらに詳細に示す。
【００３７】
基部６０には、孔６５が２つ形成されている。図３では、孔６５は、基部６０の隆起部６６内に形成されている。図３の例では、支柱５０が各孔６５に挿入されている。したがって、孔６５は、支柱５０によって塞がれていると言える。実施形態によっては、孔６５の数は２つより多くても少なくてもよく、例えば、１個、３個、４個、５個、６個、７個、８個、または９個以上の孔６５が開いていてもよい。孔６５の数（または、より包括的に言えば、１つまたは複数の支柱５０を基部６０上に取り付けるための位置の数）は、支柱５０の本数と一致する。図８は、例として、支柱５０を１本だけ有する実施形態を示している。図８の単一の支柱５０は、基部６０に装着されるか、または基部６０から延びている。
【００３８】
図３の実施形態では、孔６５の形状が、孔６５と協働する（すなわち、当該孔６５に接触するか、または当接する）支柱５０の一部の形状と一致する。図３の例では、孔６５は矩形であるが、他の形状（三角形、楕円形、円形、および正方形等）を採用してもよい。
【００３９】
支柱５０は、基部６０から孔６５を通って突出している（延びている）。各支柱５０は、少なくとも２つの取付部４０を有する。図３の実施形態は、支柱５０毎に２つの取付部４０を有しているが、図３では、１つの取付部４０だけが、各支柱５０の平坦面５２上に部分的に見えている。
【００４０】
図３に示す各支柱５０の、見える側の取付部４０は、支柱５０の表面５２（または面５２）から支柱５０内に延びる２つの孔４０Ａおよび４０Ｂを有する。図３の実施形態では、表面５２は平坦面である。表示デバイス２０を支持スタンド３０の支柱５０に取り付けるために、ねじ山付き固定具等の固定具（例えば、螺子）を孔４０Ａ、４０Ｂに挿入してもよい。したがって、孔４０Ａ、４０Ｂは、対応するねじ山を有し得る。ねじ山付き固定具（複数可）は、取付部４０の一部と見なしてもよい。
【００４１】
取付部４０としては任意の好適なものを用いることができる。例えば、取付部４０は、支柱５０の表面から突出していてもよい。当該突出部は、表示デバイス２０を支持スタンド３０に取り付けるために、表示デバイス２０の対応の部分と協働し得る。代替的な例として、取付部４０は、表示デバイス２０を支持スタンド３０に取り付けるために、表示デバイス２０の対応の部分が配置される、切り欠き、スロット、またはノッチを有してもよい。
【００４２】
説明の便宜上、２本の支柱５０のうち１本のみを取り上げるが、他方の取付部４０（図には見えない）は、支柱５０の他方の側にある平坦表面（または平坦面）５４上にある。したがって、他方の取付部４０は、支柱５０の周囲において異なる向きにある。図３では、２つの取付部が支柱５０の周囲において互いに対して約１８０度離間して方向付けられている。支柱５０は、長手方向軸を有している（基部６０が載置される表面に実質的に垂直である）と言えることから、取付部４０は、その長手方向軸の周囲の支柱５０上において異なる角度位置にあると言える。
【００４３】
上述したように、異なる実施形態では、支柱５０上に異なる数の取付部を有してもよい。例えば、他の実施形態は、各支柱５０上に３個、４個、５個、６個、７個、８個、９個、１０個、または１１個以上の取付部４０を有してもよい。各支柱５０の取付部４０の数にかかわらず、各取付部４０は、支柱５０の周囲において異なる向きに位置決めすることができる。例えば、各取付部４０は、支柱５０の周囲に等角度間隔に位置決めしてもよい。
【００４４】
１本の支柱５０の取付部４０に言及しているが、（図３のように）２本以上の支柱５０を有する実施形態では、各支柱５０上に、対応する取付部４０を有することを理解されたい。係る実施形態において異なる支柱５０の取付部４０は、表示デバイス２０の異なる部分に取り付けられる。
【００４５】
上述したように、図３の実施形態における孔６５は矩形である。それゆえ、孔６５は、支柱５０を２つの異なる向きで挿入することができるように配置される。したがって、支柱は、２つの異なる向きで基部６０に装着され得る。図３の実施形態では、２つの異なる向きは１８０度離間している。これは、支柱５０の２つの表面５２、５４の一方が、基部６０の前縁または前部６２側を向くように配置され得る（すなわち、当該表面５２、５４の表面垂線が基部６０の前縁または前部６２側を向くように配置され得る）ことを意味する。これは、図４および図５に示されている。
【００４６】
図４では、平坦面５２が、基部６０の前縁６２側を向いている。図５では、平坦面５４が、基部６０の前縁６２側を向いている。図４に示される位置と、図５に示される位置との間の支柱５０の動きは、図６および図７を参照して説明する。
【００４７】
前縁６２側を向くことができる平坦面５２、５４の両方は、関係付けられている取付部４０を有する。これは、表示デバイスを２つの平坦面５２、５４の一方に取り付けることができることを意味する。さらに、図３では、支柱５０の周囲の各平坦面５２、５４上の取付部間の角度が、支柱５０が基部６０に装着可能である２つの異なる向き間の角度と同じ、つまり、１８０度である。これは、平坦面５２の取付部４０が、基部６０に関して平坦面５４の取付部４０と同じ所定の方向に面することができることを意味する。これは、支柱５０を基部６０に装着する向きを変えることによって達成することができる。
【００４８】
異なる実施形態では、孔の形状は、矩形である必要はない。任意の形状を採用することができる。実施形態によっては、少なくとも位数２の回転対称である形状が用いられる。矩形孔に関連した説明から理解されるように、少なくとも位数２の回転対称であることで、支柱５０を、２つ以上の向きで孔６５に挿入することが可能になる。これによって、異なる取付部４０を基部６０に関して所定の方向（例えば、前縁６２の方向）に向けることを可能にすることができる。例えば、位数３の回転対称である孔６５（および対応の支柱部分）が用いられる（例えば、正三角形）場合、３つの異なる取付部４０が、基部６０に関して所定の方向に面することができる。さらなる例として、位数３の回転対称である孔６５（および対応の支柱部分）が用いられる（例えば、正方形）場合、４つの異なる取付部４０が、基部６０に関して所定の方向に面することができる。
【００４９】
実施形態によっては、支柱の回転対称は必要とされない。係る実施形態では、取付部４０は依然として、基部６０に関して所定の方向に面することができる。例えば、支柱５０を基部６０に装着することができる向き間における角度距離が、支柱５０の周囲の、対応する取付部の向き間の角度距離と同じである限り、基部６０への支柱５０の取り付けの向きを変更したときに、異なる取付部４０は依然として、基部６０に関して所定の方向に面することができる。
【００５０】
次に、図３に示す実施形態に戻ると、２つの平坦面５２、５４は表面垂線を有しており、表面垂線は、基部６０に対する垂線と共に、または、基部６０が載置される表面に対する垂線７０と共に、異なる角度を形成する。これは図４および図５に示されており、基部６０が載置される表面に対する垂線が矢印７０によって示され、表面５２に対する垂線が矢印７２によって示され、表面５４に対する垂線が矢印７４によって示されている。
【００５１】
この構成によって、表示デバイス２０の平坦な画面２５が平坦面５２の取付部４０に取り付けられるのか、または平坦面５４の取付部４０に取り付けられるのかに応じて、表示デバイス２０の平坦な画面２５が異なる傾斜角度になることが可能になる。実施形態によっては、表示デバイス２０は、支柱５０の表面５２、５４の少なくとも一部に対応する１つまたは複数の平坦面を有する。係る実施形態では、表示デバイスの平坦面は、支柱５０の平坦面５２および平坦面５４に当接するように配置される。２つの平坦面５２、５４のうちのいずれに表示デバイスの平坦面が当接するかは、表示デバイス２０が平坦面５２、５４のうちのいずれに取り付けられるかによって決まる。係る実施形態では、支柱５０の平坦面５２、５４に対する垂線の角度間の差が、表示デバイス２０が各々の平坦面５２、５４に取り付けられた場合の、平坦な表示画面の傾斜角度間の差に対応する。
【００５２】
本明細書に記載するように、任意の好適な取付部４０を用いることができる。実施形態によっては、取付部４０は、平坦面を有していなくてもよい。
【００５３】
図３の実施形態では、支柱５０は、基部６０から取り外すことが可能である。これによって、支柱の向きを基部６０に関して回転させることができる。これは、図４に示す向きから図５に示す向きへ支柱５０の向きが切り替わることができることを意味する。支柱５０の、基部６０に対する向きを変更するのに用いられる処理の例を、図６および図７を参照して下記で説明する。
【００５４】
図６では、部分断面図で示されている支柱５０のうちの１本が基部６０から取り外されている途中にある。図６に示すように、支柱５０は、孔６５を通じて基部６０の下側から取り外される。実施形態によっては、支柱５０をその対応する孔６５の位置に固定する固定具が設けられる。係る固定具は、例えば、支柱５０および基部６０内の専用の孔に挿入される螺子を含む。図７に示される矢印８０は、組立時に、支柱５０および基部を通って挿入されている途中の螺子を表す。代替的な固定具を用いてもよく、例えば、クリップ、ナット、および他の締結具を用いることができる。代替的に、実施形態によっては、係る固定具は設けなくてもよい。係る固定具を有しない任意の実施形態において、固定具の保持力は、図６に示されるように、支柱５０が孔６５を通って引き抜かれる前に除去する必要がある。
【００５５】
図６には、支柱の、基部６０に関する回転を示す矢印９０も示されている。この回転９０は、支柱５０が孔６５から取り外された後、または支柱５０が孔６５から実質的に取り外された後に行われる。当該回転９０は、図６に示される例における支柱５０の長手方向軸を中心とした回転と言える。
【００５６】
支柱が的確な角度（図６の例では１８０度）だけ回転されると、支柱を孔６５に再び挿入することができる。次いで、必要であれば、固定具８０を用いて、支柱５０を基部６０に関するその新たな向きに固定することができる。
【００５７】
したがって、表示デバイス２０の表示画面の傾斜角度２５を変更するためには、以下の処理を行ってもよい。まず、表示デバイス２０を支柱５０から取り外すことができる。これには、用いる特定の取付部に適した様式で、取付部４０を外すことが必要となり得る。表示デバイス２０が支持スタンド３０から取り外された状態で、支柱の向きを、図６および図７を参照して上述したように変更することができる。このようにして、異なるセットの取付部を、所定の方向、例えば、基部６０の前縁６２に面するようにすることができる。次いで、表示デバイス２０を、基部６０の前縁６２側に面している異なるセットの取付部を用いて、支柱５０に再装着することができる。これらの異なる取付部４０は、表示デバイスを取り付けるときに、平坦な表示画面２５の表面垂線２６が、基部６０が載置される表面の垂線７０に対して動作開始時の角度とは異なる角度になるように構成することができる。
【００５８】
図６および図７を参照して上述した実施形態では（実際には、図９を参照して上述した実施形態では）、前縁６２の方向における基部６０のサイズは、反対方向におけるサイズよりも大きくてもよい。したがって、平坦な表示画面２５が面する方向における基部６０のサイズは、反対方向におけるサイズよりも大きくてもよい。これによって、例えば、平坦な表示画面２５が面する方向において表示装置が前方に倒れる可能性が減ることで、表示装置の安定性を向上させることができる。
【００５９】
実施形態によっては、基部６０の孔６５を通じて支柱５０を挿入せずに支柱５０を基部６０に装着することができる。それゆえ、実施形態によっては、基部６０は、孔６５を有しなくてもよい。係る実施形態に関する基部６０は、図９に示されている。図９に示されるように、基部６０は、支柱プラットフォーム６７（取付具または支柱取付具とも称される）を有する。支柱５０は、支柱プラットフォーム６７を用いて、基部６０に装着、すなわち、取り付けられる。例えば、支柱５０を基部６０上に取り付けるために、支柱５０は、支柱プラットフォーム６７上にもしくは支柱プラットフォーム６７内に装着されるか、または係合する、対応の係合部を有してもよい。
【００６０】
支柱５０を基部６０の孔６５を通じて挿入する一実施形態に関して上述した関連の特徴を全て、支柱プラットフォーム６７を用いて支柱５０を基部６０に装着する実施形態に適用してもよい。したがって、例えば、任意の本数の支柱５０を、支柱プラットフォーム６７を用いて基部６０に装着してもよい。さらに、支柱プラットフォーム６７は、支柱５０を２つ以上の向きで基部６０上に取り付けることを可能にしてもよい。支柱が基部６０の孔６５を通じて装着される当該実施形態のように、支柱プラットフォーム６７を用いて支柱５０を基部６０に装着することができる向きは、取付部４０が支柱５０上に設けられる向きに対応してもよい。
【００６１】
図９に示す実施形態では、支柱５０を、矢印１００の方向に押すことで基部６０上に取り付けてもよい。同様に、支柱５０を、矢印１００とは反対の方向に移動させる（例えば、引く）ことで、基部６０から取り外してもよい。
【００６２】
実施形態によっては、支柱５０を基部６０に対して固定してもよい。したがって、図３を参照すると、係る実施形態において、支柱５０の表面５２は常に基部６０の前縁６２の方向に面しており、かつ、支柱５０の表面５４は常に基部６０の前縁６２とは反対の方向に面している。もちろん、支柱５０が基部６０に対して固定される実施形態に、図６および図７を参照して上述した、支柱５０の、基部６０に関する向きを動かす動作は関係しない。
【００６３】
支柱５０が基部６０に対して固定される実施形態において、平坦な表示画面２５の傾斜角度を、一セットの取付部４０から表示デバイス２０を取り外してから、（支柱５０の向きは変えずに）支柱５０の別の部分にある別のセットの取付部４０に表示デバイス２０を再装着することで変更してもよい。例えば、図３を参照すると、表示デバイス２０を表面５２の取付部４０から取り外した後に、表面５４の取付部４０に再装着することができる。したがって、係る実施形態において、傾斜角度の変化に加えて、平坦な表示画面２５に関して面する方向も変化する。
【００６４】
再び図３を参照すると、支柱５０が基部６０に対して固定される一実施形態において、平坦な表示画面は、表面５２の取付部４０に装着されると、基部６０の前縁６２の方向に面し、表面５４の取付部４０に装着されると、基部６０の前縁６２とは反対の方向に面する。もちろん、係る実施形態において、支柱５０が、自身の周囲において異なる向きの任意の数の取付部４０を有していてもよい。各セットの取付部４０は、平坦な表示画面２５が異なる傾斜角度になるように表示デバイス２０を取り付けるように構成してもよい。例えば、支柱５０または各支柱５０の周囲に異なる向きの２個、３個、４個、５個、６個、７個、８個、９個、１０個、または１１個以上の取付部４０を備えることができる。各取付部４０は、各取付部４０に表示デバイス２０が取り付けられたときに、平坦な表示画面２５の傾斜角度が異なるように構成されてもよい。このような、支柱５０が基部６０に対して固定されている実施形態では、表示装置が、表示デバイス２０がいずれの取付部４０に取り付けられるかに左右されずに安定するように、基部６０が構成される（例えば、成形される）か、かつ／または支柱５０が基部６０上に配置される（例えば、位置決めされる）。
【００６５】
具体的な実施形態を図面に関連して記載したが、他の種々の構成が添付の特許請求の範囲に規定される本発明の範囲内に入ることを理解されたい。例えば、一実施形態において、支柱５０および基部６０は、始めは互いに分離した状態で（例えば、モジュール形態で）設けてもよいが、共に組み合わせてからは、支柱５０の、基部６０に対する位置を固定してもよい。これによって、ユーザに、用いる傾斜角度に関する選択権が付与されるが、傾斜角度が選択されると、傾斜角度は固定されたままになる。
【００６６】
さらに、特定の実施形態に関して本明細書に記載した任意の特徴は、異なる実施形態に関して記載される任意の他の適合可能な特徴と組み合わせてもよいことを理解されたい。
【図１】
2011170356.tif 000003
【図２】
2011170356.tif 000004
【図３】
2011170356.tif 000005
【図４】
2011170356.tif 000006
【図５】
2011170356.tif 000007
【図６】
2011170356.tif 000008
【図７】
2011170356.tif 000009
【図８】
2011170356.tif 000010
【図９】
2011170356.tif 000011